(57)【要約】【課題】  介助する側の人が車椅子の前に立って牽引することから、車椅子に搭乗している人から介助する側の人が見え、車椅子に搭乗している人が従来にない安心感を得ることができる車椅子牽引装置を提供することにある。【解決手段】  車椅子のキャスター支柱上部の垂直フレームから起立し、上端部が車椅子のアームレストよりも上方に突出し、上端部付近に握持可能なグリップを有する牽引バーとを備え、介助する側の人が、牽引バーのグリップを握って引くことにより車椅子を牽引することを特徴とする。【選択図】図１
2012061178.tif 000002
【特許請求の範囲】
【請求項１】
車椅子を牽引するための車椅子牽引装置において、
該車椅子のキャスター支柱上部の垂直フレームから起立し、上端部が該車椅子のアームレストよりも上方に突出し、該上端部付近に握持可能なグリップを有する牽引バーとを備え、
介助する側の人が、該牽引バーのグリップを握って引くことにより該車椅子を牽引することを特徴とする車椅子牽引装置。
【請求項２】
前記車椅子のキャスター支柱上部の垂直フレームに着脱自在に装着される固定具を備え、
前記牽引バーの下端を、該固定具に着脱自在に連結可能で、該牽引バーが、該固定具を介して該車椅子に固定されることを特徴とする請求項１記載の車椅子牽引装置。
【請求項３】
前記牽引バーの上端部の高さが、該牽引バーを前記車椅子に固定した状態で地上高７００ｍｍ〜１２００ｍｍであることを特徴とする請求項１又は請求項２記載の車椅子牽引装置。
【請求項４】
前記牽引バーが、該牽引バーを前記垂直バーに縛り止める結束部材を有することを特徴とする請求項１〜請求項３のいずれかに記載の車椅子牽引装置。
【請求項５】
前記牽引バーが、上端に、点滴スタンドのバーを挿嵌させるスタンド穴を有することを特徴とする請求項１〜請求項４のいずれかに記載の車椅子牽引装置。
【発明の詳細な説明】
【技術分野】
【０００１】
本発明は、介助する側の人が、車椅子の前方から該車椅子を牽引するための車椅子牽引装置に関する。
【背景技術】
【０００２】
従来より、本来は車椅子を背後から押して移動させるのが常識であることろ、車椅子の前方から車椅子を牽引する手段として、例えば特許文献１に示されるような連結式車椅子牽引車がある。この特許文献１の連結式車椅子牽引車は、モータで回転する駆動装置であり、車椅子のキャスターを浮かせた状態で取り付けられるものである。そして、連結式車椅子牽引車が自走することで、車椅子を牽引することになる。
【先行技術文献】
【特許文献】
【０００３】
【特許文献１】特開２００４−１３５７４７号公報
【発明の概要】
【発明が解決しようとする課題】
【０００４】
しかしながら、従来の車椅子牽引装置は、介助する側の人によるものではなく、機械的な牽引装置にしか過ぎない。
【０００５】
本発明は、このような事情に鑑みてなされたもので、介助する側の人が車椅子の前に立って牽引することから、車椅子に搭乗している人から介助する側の人が見え、車椅子に搭乗している人が従来にない安心感を得ることができる車椅子牽引装置を提供することにある。
【課題を解決するための手段】
【０００６】
請求項１記載の車椅子牽引装置は、車椅子のキャスター支柱上部の垂直フレームから起立し、上端部が車椅子のアームレストよりも上方に突出し、上端部付近に握持可能なグリップを有する牽引バーとを備え、介助する側の人が、牽引バーのグリップを握って引くことにより車椅子を牽引することを特徴とする。
【０００７】
請求項２記載の車椅子牽引装置は、車椅子のキャスター支柱上部の垂直フレームに着脱自在に装着される固定具を備え、牽引バーの下端を、固定具に着脱自在に連結可能で、牽引バーが、固定具を介して車椅子に固定されることを特徴とする。
【０００８】
請求項３記載の車椅子牽引装置は、牽引バーの上端部の高さが、牽引バーを車椅子に固定した状態で地上高７００ｍｍ〜１２００ｍｍであることを特徴とする。
【０００９】
請求項４記載の車椅子牽引装置は、牽引バーが、牽引バーを垂直バーに縛り止める結束部材を有することを特徴とする。
【００１０】
請求項５記載の車椅子牽引装置は、牽引バーが、上端に、点滴スタンドのバーを挿嵌させるスタンド穴を有することを特徴とする。
【発明の効果】
【００１１】
請求項１及び請求項３の発明によれば、牽引バーが車椅子のキャスター支柱上部の垂直フレームから起立し、車椅子のアームレストよりも上方に突出した上端部に設けられたグリップを握持しながら介助する側の人が車椅子の前に立って車椅子を牽引することから、車椅子に搭乗している人から介助する側の人が見え、車椅子に搭乗している人が従来にない安心感を得ることができる。
【００１２】
請求項２の発明によれば、牽引バーが固定具に着脱自在に連結可能であることから、牽引バーを必要に応じて着脱させればよく、牽引バーを使わない場合には、邪魔になりにくく、また、牽引バーを使用したい場合には、容易に装着できる。
【００１３】
請求項４の発明によれば、牽引バーが、牽引バーを車椅子の垂直バーに縛り止める結束部材を有することから、より確実に牽引バーを車椅子に固定することができる。
【００１４】
請求項５の発明によれば、牽引バーが、上端に、点滴スタンドのバーを挿嵌させるスタンド穴を有することから、点滴を行った状態でも、車椅子の牽引が可能である。
【図面の簡単な説明】
【００１５】
【図１】本発明に係る第１の実施例の車椅子牽引装置を示す斜視図である。
【図２】同第１の実施例の車椅子牽引装置の側面図である。
【図３】同第１の実施例の車椅子牽引装置の固定具を示す斜視図である。
【図４】本発明に係る第２の実施例の車椅子牽引装置を示す斜視図である。
【図５】同第２の実施例の車椅子牽引装置の側面図である。
【発明を実施するための形態】
【００１６】
本発明の形態における車椅子牽引装置は、介助する側の人が、車椅子の前方から該車椅子を牽引するためのものである。
【実施例１】
【００１７】
以下、実施例１について図面を参照しながら具体的に説明する。図１は、本発明に係る第１の実施例の車椅子牽引装置を示す斜視図である。図２は、同第１の実施例の車椅子牽引装置の側面図である。図３は、同第１の実施例の車椅子牽引装置の固定具を示す斜視図である。
【００１８】
図１〜図３における車椅子連結装置１は、固定具１０、牽引バー２０で、構成されている。固定具１０は、図３に示すように、受け部１２、ホールド部１４、押圧部１８、ボルト１７、ボルトハンドル１６で構成されている。固定具１０は、後述する牽引バー２０を挿入する筒状の受け部１２と、受け部１２の側方に設けられた握り手状のホールド部１４と、ホールド部１４に貫通して螺嵌するボルト１７と、ボルト１７の先端に設けられ車椅子８の垂直フレーム８２に当接する押圧部１８とを備えている。尚、ボルト１７のボルト頭には、ボルト１７を手動で回転させるためのボルトハンドル１６が設けられている。
【００１９】
固定具１０を車椅子８に装着する位置は、垂直フレーム８２のキャスター８７の軸を支えるキャスター支柱８８の直近上方である。すなわち、垂直フレーム８２の比較的低い位置になる。そして、固定具１０を、垂直フレーム８２に装着する場合には、まず、ホールド部１４を垂直フレーム８２の外周に沿うように覆い被せる。そして、ボルトハンドル１６を回すことによりボルト１７が押圧部１８をホールド部１４の内面方向に押し出させて、ホールド部１４の押圧部１８と対向する内面と押圧部１８との間で垂直フレーム８２を押圧することにより、固定具１０を垂直フレーム８２に挟着する。尚、固定具１０のホールド部１４と受け部１２との位置関係は、固定具１０を垂直フレーム８２に装着するときに、固定具１０の受け部１２の受け部下端１２ａがキャスター支柱８８の支柱上端８８ａに当接可能な位置になるようにするのが好ましい。
【００２０】
牽引バー２０は、長さが約３５０ｍｍ〜約８５０ｍｍの円筒状の棒材で、太さは約２０ｍｍで固定具１０の受け部１２に挿嵌可能な太さのポール部２２からなる。ポール部２２の上端部付近には、介助する側の人が握持可能なグリップ２４を有している。尚、固定具１０の受け部１２の側面には係止穴が穿設されており、牽引バー２０のポール部２２の下端付近の面には、受け部１２の係止穴に係止可能で外周上方に突出するように付勢されたロックピン２６が設けられている。そして、ポール部２２を受け部１２に挿入し、ロックピン２６が係止穴に係止されることにより、ポール部２２が受け部１２から抜けないように接続される構造になっている。また、牽引バー２０には、車椅子８の垂直バー８２に牽引バー２０を縛り止めるための結束部材であるバンド２８を備えている。バンド２８は、例えば、ベルベッド・ファスナで、１本の帯材で、自身に巻き付けることで接着固定が可能な物であれば、固定が容易になる。
【００２１】
そして、牽引バー２０を固定具１０を介して車椅子８に固定させた状態で、介助する側の人が、車椅子８の牽引バー２０側の斜め前に立ち、グリップ２４を握持しつつ牽引バー２０を引くようにする。これにより、介助する側の人が、車椅子８を牽引できることとなる。
【００２２】
以上のように、本実施例１の車椅子牽引装置１によれば、牽引バー２０が車椅子８のキャスター支柱８８上部の垂直フレーム８２から起立し、車椅子８のアームレスト９０よりも上方に突出した上端部に設けられたグリップ２４を握持しながら、介助する側の人が車椅子８の前に立って車椅子８を牽引することから、車椅子８に搭乗している人から介助する側の人が見え、車椅子８に搭乗している人が従来にない安心感を得ることができる。
【００２３】
また、一人で２台の車椅子８を搬送する必要がある場合、後方の車椅子８に牽引バー２０を装着して用いることができる。具体的には、介助する側の人が、前後に配置された車椅子８の間に立ち、片手で前の車椅子８のハンドルグリップ８６を持ち、他方の手で後ろの車椅子８の牽引バー２０のグリップ２４を握って引くことにより、２台の車椅子８の搬送が可能になる。この場合、介助する側の人の背筋が伸び、介助の負担が軽減されることになる。
【００２４】
さらに、牽引バー２０が固定具１０に着脱自在に連結可能であることから、牽引バー２０を必要に応じて着脱させればよく、牽引バー２０を使わない場合には、車椅子８から取り外せばよく邪魔にならず、また、牽引バー２０を使用したい場合には、容易に装着できる。
【００２５】
さらに、牽引バー２０が、牽引バー２０を垂直バー８２に縛り止める結束部材であるバンド２８を有することから、バンド２８を垂直バー８２に縛り止めることで、より確実に牽引バー２０を車椅子８に固定することができる。
【００２６】
尚、牽引バー２０の上端部の高さ（グリップ２４の握る高さ）が、牽引バー２０を車椅子８に固定した状態で地上高７００ｍｍ〜１２００ｍｍであるが、介助する側の人の身長や力等によって、適宜選択するようにすればよい。最適な高さとしては、例えば、地上高約１０５０ｍｍ、約９００ｍｍ等である。
【実施例２】
【００２７】
実施例１の車椅子牽引装置１は、牽引バー２０に他の物を付加する構造にはなっていないが、本実施例２では、点滴中の人が車椅子８を利用可能な形態を示す。以下、実施例２について図面を参照しながら具体的に説明する。図４は、本発明に係る第２の実施例の車椅子牽引装置を示す斜視図である。図５は、同第２の実施例の車椅子牽引装置の側面図である。
【００２８】
図４及び図５における車椅子連結装置２は、固定具１０、牽引バー３０で構成されている。固定具１０は、実施例１の物と同一の物である。
【００２９】
牽引バー３０は、実施例１の牽引バー２０と同様な長さで、グリップ３４をポール部３２の上端に備えているが、ポール部３２の上端すなわちグリップ３４の上端に、スタンド穴３４ａが穿設されている。このスタンド穴３４は、点滴バッグを吊り下げる吊り下げフック６４を上部に有する点滴スタンド・バー６２を挿入する穴である。そして、ポール部３２の側面には、スタンド穴３４ａに挿入された点滴スタンド・バー６２の高さを定めて固定させるためのロックボルト３４ｂが螺合されている。
【００３０】
そして、牽引バー３０を固定具１０を介して車椅子８に固定させた状態で、牽引バー３０に点滴スタンド６０を挿入し、介助する側の人が、車椅子８の牽引バー３０側の斜め前に立ち、グリップ２４を握持しつつ牽引バー３０を引くようにする。これにより、介助する側の人が、車椅子８を牽引できることとなる。以上のように、本実施例１の車椅子牽引装置２によれば、点滴を行った状態でも、車椅子８の牽引が可能である。
【００３１】
尚、固定具１０を、車椅子８の後方下部に固定させることも可能で、点滴スタンド６０を車椅子８の後方に起立させることもできる。
【産業上の利用可能性】
【００３２】
以上のように、本発明によれば、介助する側の人が車椅子の前に立って牽引することから、車椅子に搭乗している人から介助する側の人が見え、車椅子に搭乗している人が従来にない安心感を得ることができる車椅子牽引装置を提供することができる。
【符号の説明】
【００３３】
１・・・・・車椅子牽引装置
２・・・・・車椅子牽引装置
８・・・・・車椅子
１０・・・・固定具
１２・・・・受け部
１２ａ・・・受け部下端
１４・・・・ホールド部
１４ａ・・・挟持部
１６・・・・ボルトハンドル
１７・・・・ボルト
１８・・・・押圧部
２０・・・・牽引バー
２２・・・・ポール部
２４・・・・グリップ
２６・・・・ロックピン
２８・・・・バンド
３０・・・・牽引バー
３２・・・・ポール部
３４・・・・グリップ
３４ａ・・・スタンド穴
３４ｂ・・・ロックボルト
３６・・・・ロックピン
３８・・・・バンド
６０・・・・点滴スタンド
６２・・・・点滴スタンド・バー
６４・・・・吊り下げフック
８２・・・・垂直フレーム
８４・・・・ハンドル部
８６・・・・ハンドルグリップ
８７・・・・キャスター
８８・・・・キャスター支柱
８８ａ・・・支柱上端
９０・・・・アームレスト
【図１】
2012061178.tif 000003
【図２】
2012061178.tif 000004
【図３】
2012061178.tif 000005
【図４】
2012061178.tif 000006
【図５】
2012061178.tif 000007